(57)【要約】【課題】ろうそく用の販売パッケージにおいて、ろうそくの製造業者や販売業者が独自にデザインしたり設計したり製造したりする必要がなく、ろうそくの企画やデザインやサイズや数量を世界統一規格に則ったディスク収納ケースに合わせることで、ろうそく新製品の適切な開発・販売タイミングを得ることを可能とする、ろうそくパッケージの提供を目的とする。【構成】Ｃは世界統一規格に則ったＣＤ用のディスク収納ケースに収納できるように製作された蝋燭で、蝋燭Ｃは少なくとも一個以上の場合であり、１０は世界統一規格に則ったＣＤ用のディスク収納ケースで、ディスク収納ケース１０は本体側１１と蓋側１２とで形成され、本体側１１と蓋側１２は開閉手段１３により開閉するように組み合わされており、２０はディスク収納ケース１０の本体側１１に収納されるようにシート状に成形された蝋燭Ｃの保持手段であり、保持手段２０には蝋燭Ｃの形状や寸法や数量に合わせて加工した孔部２１を設けてある。【選択図】  図３
0003101602.tif 000002
【実用新案登録請求の範囲】
【請求項１】
ろうそくを収納するためのパッケージ手段において、音楽用や映像用やコンピューター用のデジタル信号記録用ディスクの規格に準拠する規格ケースと、ろうそくを保持する保持手段とを備えたことを特徴とする、ディスク収納ケースを活用したろうそくパッケージ。
【請求項２】
前記保持手段には、ろうそくを収納するための収納手段またはろうそくを固定するための固定手段またはろうそくを保護するための保護手段を設けたことを特徴とする、請求項１に記載のディスク収納ケースを活用したろうそくパッケージ。
【請求項３】
前記規格ケースは、ＣＤ、ＤＶＤ、ＭＤ等のディスク収納ケースと同等の、世界統一規格の基準に準ずる形状及び外形寸法を有する四角形の薄型のプラスチックケースであることを特徴とする、請求項１に記載のディスク収納ケースを活用したろうそくパッケージ。
【請求項４】
前記規格ケースをさらに保護するためのパッケージ保護手段を備えたことを特徴とする、請求項１に記載のディスク収納ケースを活用したろうそくパッケージ。
【請求項５】
前記規格ケースと前記パッケージ保護手段の間には販売促進用手段を備えたことを特徴とする、請求項１または請求項４に記載のディスク収納ケースを活用したろうそくパッケージ。
【考案の詳細な説明】
【技術分野】
【０００１】  本考案は、ろうそくを収納するためのパッケージ手段において、音楽用や映像用やコンピューター用のデジタル信号記録用ディスクの規格に準拠する規格ケースと、ろうそくを保持する保持手段とを備えたことを特徴とする、ディスク収納ケースを活用したろうそくパッケージに関する。
【背景技術】
【０００２】  従来、ろうそくが販売されている店頭では、ろうそくの販売用パッケージとしては、主に袋状のパッケージや箱状のパッケージであり、その多くは販売されるろうそくのサイズや数量によって、ろうそくの製造業者や販売業者が独自にデザインしたり設計した後に製造されたものである。【０００３】  一方、音楽用や映像用やコンピューター用のデジタル信号記録用ディスクである、ＣＤ（Ｃｏｍｐａｃｔ  Ｄｉｓｃ）、ＤＶＤ（Ｄｉｇｉｔａｌ  Ｖｉｄｅｏ  Ｄｉｓｃ）、ＭＤ（Ｍｉｎｉ  Ｄｉｓｃ）といった世界統一基準に準拠する、デジタル信号記録用ディスクを収納するディスク用収納ケースとしては、図２に示すように、ＣＤ、ＤＶＤ、ＭＤ等のディスク本体（図示せず）より一回り大きい四角形の薄型のプラスチックケース等をパッケージとして用い、その内部側に、ＣＤ、ＤＶＤ、ＭＤ等のディスク専用の内装材を取り付けたものが用いられている。【０００４】  このディスク収納ケースとしてのプラスチックケースは、一般的には標準化されて、大量生産されるため、安価であり、入手しやすいという特徴を有している。さらに、このディスク収納ケース自体を複数収納するための専用の収納箱、収納棚等が各種存在しており、これもまた大量生産されていることによって、安価であり、入手しやすいという特徴を有している。
【考案の開示】
【考案が解決しようとする課題】
【０００５】  従来のろうそく用の販売パッケージである、袋状のパッケージや箱状のパッケージでは、ろうそくの企画やデザインやサイズや数量が決まった段階で、ろうそくの製造業者や販売業者が独自にデザインしたり設計した後に製造される場合が多いので、その都度、販売促進の企画や計画を作成しなければならず、販売のタイミングやビジネスのタイミングが適切でない場合が生じていた。【０００６】  また、従来のろうそく用の販売パッケージでは、製品としてのロットが相当量ある場合ではよいが、製品が多品種小ロットの場合では、従来のろうそく用の販売パッケージは割高になり、収益を圧迫する要因にもなっていた。【０００７】  また、ＣＤ、ＤＶＤ、ＭＤ等を収容するための従来のディスク収納ケースとしてのプラスチックケースは、大量生産されるため、安価であり、入手しやすいという特徴を有しているため、比較的小型の製品にとっては、製品を収容する収容ケースとして魅力的であるにもかかわらず、十分に活用されてはいないという指摘を受けている。【０００８】  本考案は、上述した問題点を解決するために成されたものであり、ろうそく用の販売パッケージにおいて、ろうそくの製造業者や販売業者が独自にデザインしたり設計したり製造したりする必要がなく、ろうそくの企画やデザインやサイズや数量を前記ディスク収納ケースに合わせることで、ろうそく新製品の適切な販売タイミングやビジネスの適切な開始タイミングを得ることを可能とする、ろうそくパッケージの提供を目的とする。【０００９】  また、前記ディスク収納ケースをろうそく用の販売パッケージとして利用することで、ろうそく製品が多品種小ロットの場合でも、販売パッケージが割高になることはなく、ろうそく製品の利益率を向上させることを可能とする、ろうそくパッケージの提供を目的とする。【００１０】  また、前記ディスク収納ケースのために市販されている、棚やラックや容器などの周辺の販促製品や整理製品がそのまま利用可能になる、ろうそくパッケージの提供を目的とする。
【課題を解決するための手段】
【００１１】  課題を解決するための第一の手段として、ろうそくを収納するためのパッケージ手段において、音楽用や映像用やコンピューター用のデジタル信号記録用ディスクの規格に準拠する規格ケースと、ろうそくを保持する保持手段とを備えたことを特徴とする、ディスク収納ケースを活用したろうそくパッケージを提供できるが、前記デジタル信号記録用ディスクに関しては、多くのタイプが知られているが、磁気や光やその両方を用いて、円盤状の素材に前記デジタル信号を書き込んだりまたは読み込んだりするものの規格に準拠する規格ケースであれば、全て利用可能である。前記ろうそくに関しては、ロウソク、蝋燭、キャンドル（ｃａｎｄｌｅ）などと表現され、一般的には、糸やこよりなどを芯にし、まわりを蝋・パラフィンなどで固めた円柱状の灯具のことをいう。【００１２】  課題を解決するための第二の手段として、前記保持手段には、ろうそくを収納するための収納手段またはろうそくを固定するための固定手段またはろうそくを保護するための保護手段を設けたことを特徴とする、課題を解決するための第一の手段に記載のディスク収納ケースを活用したろうそくパッケージを提供できるが、前記収納手段に関しては、前記収納手段に用いる収納材が可撓性または弾力性または柔軟性を有するタイプであれば何を用いても構わないがゴム系の素材または合成樹脂系の素材または天然セルロース系の素材を用いるのが好ましい。また、前記収納手段に用いる収納材の形状が薄型の方形体で寸法（縦×横×厚み）に関しては前記ディスク収納ケースの内寸に合わせることが好ましい。また、前記収納手段に用いるろうそく収納方法に関しては、前記収納材の表面または裏面または両面に、窪み状または溝状または切欠き状または孔状または線状または切込み状または折込み状を設ける。【００１３】  また、前記固定手段に関しては、前記固定手段に用いる固定材が可撓性または弾力性または柔軟性を有するタイプであれば何を用いても構わないがゴム系の素材または合成樹脂系の素材または天然セルロース系の素材を用いるのが好ましい。また、前記固定手段に用いる固定材の形状が薄型の方形体で寸法（縦×横×厚み）に関しては前記ディスク収納ケースの内寸に合わせることが好ましい。また、前記固定手段に用いるろうそく固定方法に関しては、前記固定材の表面または裏面または両面に、窪み状または溝状または切欠き状または孔状または線状または切込み状または折込み状を設ける。【００１４】  さらに、前記保護手段に関しては、前記保護手段に用いる保護材が可撓性または弾力性または柔軟性を有するタイプであれば何を用いても構わないがゴム系の素材または合成樹脂系の素材または天然セルロース系の素材を用いるのが好ましい。また、前記保護手段に用いる保護材の形状が薄型の方形体で寸法（縦×横×厚み）に関しては前記ディスク収納ケースの内寸に合わせることが好ましい。また、前記保護手段に用いるろうそく保護方法に関しては、前記保護材の表面または裏面または両面に、窪み状または溝状または切欠き状または孔状または線状または切込み状または折込み状を設ける。【００１５】  課題を解決するための第三の手段として、前記規格ケースは、ＣＤ、ＤＶＤ、ＭＤ等��ディスク収納ケースと同等の、世界統一規格の基準に準ずる形状及び外形寸法を有する四角形の薄型のプラスチックケースであることを特徴とする、課題を解決するための第一の手段に記載のディスク収納ケースを活用したろうそくパッケージを提供できるが、本考案でいうＣＤは一般的には、シーデイやコンパクトディスク（Ｃｏｍｐａｃｔ  Ｄｉｓｃ）と呼ばれ、音声信号や映像信号やＣＰＵを制御するデジタル信号を記録した約直径１２ｃｍの円盤（ディスク）である。【００１６】  また、ＤＶＤは一般的には、ディーブイディー（Ｄｉｇｉｔａｌ  Ｖｉｄｅｏ  Ｄｉｓｃ）と呼ばれ、音声信号や映像信号やＣＰＵを制御するデジタル信号を記録した約直径１２ｃｍの円盤（ディスク）であり、ＣＤより記録容量が多いのが特徴である。
また、ＭＤは一般的には、エムディー（Ｍｉｎｉ  Ｄｉｓｃ）と呼ばれ、デジタル方式の小型録音再生機用の光磁気ディスクであり、直径約６４ｍｍであり、デジタル信号を圧縮技術によりＣＤの約五分の一に圧縮している。
さらに、前記プラスチックケースに関しては、透明タイプでも半透明タイプでも不透明タイプでも使用可能である。【００１７】  課題を解決するための第四の手段として、前記規格ケースをさらに保護するためのパッケージ保護手段を備えたことを特徴とする、課題を解決するための第一の手段に記載のディスク収納ケースを活用したろうそくパッケージを提供できるが、前記パッケージ保護手段に関しては、前記規格ケースをさらに保護するための商品包装用の、袋状、箱状、シート状であれば何を用いても構わない。【００１８】  課題を解決するための第五の手段として、前記規格ケースと前記パッケージ保護手段の間には販売促進用手段を備えたことを特徴とする、課題を解決するための第一の手段または課題を解決するための第四の手段に記載のディスク収納ケースを活用したろうそくパッケージを提供できるが、前記販売促進用手段に関しては、消費者のろうそくに関しての購買欲を刺激するか、ろうそく販売業者やろうそく製造業者を助ける活動になっていればよい。また、ろうそくの販売促進を介して、企業の営利活動に貢献する内容になっていればよい。
なお、前記販売促進は、販促とかＳＰ（Ｓａｌｅｓ  Ｐｒｏｍｏｔｉｏｎ）とかセールス・プロモーションとして使用される場合がある。
【考案の効果】
【００１９】  以上説明したように、ろうそく用の販売パッケージにおいて、ろうそくの製造業者や販売業者が本考案のディスク収納ケースを活用したろうそくパッケージを採用し、ろうそくの形状または寸法を前記パッケージに合わせることで、前記業者はあらためてパッケージを設計したり製造したりする必要がないために、パッケージに余分な経費を掛けずに済み、その分のコスト低減が可能になる。
また、前記業者はあらためてパッケージを設計したり製造したりする必要がないことで、パッケージの設計や製造に余分な時間を掛けずに済み、前記業者はろうそく新製品の適切な販売タイミングや適切なビジネスの開始タイミングを得ることができる。【００２０】  また、本考案の世界統一規格の基準に準ずる形状及び外形寸法を有する規格ケースを用いるディスク収納ケースを活用したろうそくパッケージを採用することによって、上述した考案の効果に加えて、前記パッケージの入手は容易になり、よって、ろうそく製品が多品種小ロットの場合でも、本考案は十分対応可能であり、ろうそく製品が多品種になっても、このろうそく製品の形状または寸法を前記パッケージに合わせることで、小ロットの場合でもこの新製品の販売パッケージは割高になることはなく、十分な利益率を確保できる。【００２１】  また、本考案の保持手段を用いることで、本考案のろうそくを収納するための収納手段によって、上述した考案の効果に加えて、被収納物の保持及び脱着を確実に行うことができ、また、本考案のろうそくを固定するための固定手段によって、被固定物の固定及び脱着を確実に行うことができ、さらに、本考案のろうそくを保護するための保護手段によって、被保護物の保護及び脱着を確実に行うことができる。【００２２】  また、本考案のディスク収納ケースを活用したろうそくパッケージを採用することによって、上述した考案の効果に加えて、世界統一規格の基準に準ずる形状及び外形寸法を有する規格ケースのために開発され市販されている収納箱や収納棚や収納ラックや収納容器や収納ボックスなどの収納用具がそのまま利用可能であり、よって、わざわざ開発する必要もなく、消費者にとっては選択肢が増大し結果的に消費者のろうそくに関しての購買欲を刺激することができる。【００２３】  また、本考案の前記規格ケースをさらに保護するためのパッケージ保護手段を利用することで、上述した考案の効果に加えて、本考案のディスク収納ケースを活用したろうそくパッケージの品質保持または品質向上に貢献し、さらに、意匠の保持または向上に貢献することで、消費者のろうそくに関しての購買欲を刺激し、ろうそくの売上増大に貢献できる。【００２４】  また、本考案の前記規格ケースと前記パッケージ保護手段の間に販売促進用手段を備えたことで、上述した考案の効果に加えて、本考案のディスク収納ケースを活用したろうそくパッケージは、ろうそく商品のＯＥＭ（Ｏｒｉｇｉｎａｌ  Ｅｑｕｉｐｍｅｎｔ  Ｍａｎｕｆａｃｔｕｒｉｎｇ：取引先の商標で販売される製品の受注生産という意味）が可能になり、その結果ろうそく販売業者やろうそく製造業者以外の業者でもろうそく商品の取り扱いが可能になり、ろうそく商品の販売チャンネルが増大することで、ろうそくの売上増大に貢献できる。
【考案を実施するための最良の形態】
【００２５】  以下、図面を参照して本考案のディスク収納ケースを活用したろうそくパッケージの実施の形態について詳細に説明する。
図１は本考案の一実施の形態例を説明する図であり、図２は従来のディスク用収納ケースの外観を示す図であり、図３は本考案の一実施の形態の外観を示す図である。
【実施例１】
【００２６】  図１より本実施の形態では、Ｃは世界統一規格に則ったＣＤ用のディスク収納ケースに収納できるように製作された蝋燭で、蝋燭Ｃは少なくとも一個以上の場合であり、１０は世界統一規格に則ったＣＤ用のディスク収納ケースで、ディスク収納ケース１０は本体側１１と蓋側１２とで形成され、本体側１１と蓋側１２は開閉手段１３により開閉するように組み合わされており、２０はディスク収納ケース１０の本体側１１に収納されるようにシート状に成形された蝋燭Ｃの保持手段であり、シート状保持手段２０には蝋燭Ｃの形状や寸法や数量に合わせて加工した保持用孔部２１を設けてある。
【実施例２】
【００２７】  図１と図２より、本実施の形態で使用する、ディスク収納ケース１０は、ＣＤ、ＤＶＤ、ＭＤ等のディスク用の収納ケースと、同一材料、同一形状の薄型のプラスチックケースであり、世界統一規格に則ったディスク用収納ケースに使用される四角形の薄型のプラスチックケースである。
また、ディスク収納ケース１０は、透明プラスチックケースの場合でも、半透明プラスチックケースの場合でも、不透明プラスチックケースの場合でも構わない。また、ディスク収納ケース１０は、半透明でかつ着色タイプのプラスチックケースの場合でも、不透明でかつ着色タイプのプラスチックケースの場合でも構わない。また、前記着色用の色素に関しても、有機性でも無機性でもよく、色指定に関しても任意で構わない。さらに、ディスク収納ケース１０は、一般的に流通しているタイプを用いればよい。
【実施例３】
【００２８】  図３より本実施の形態では、一般的に流通している透明タイプのディスク収納ケース１０を一旦開いた状態にし、本体側１１に、収納ケース１０の寸法に合わせた蝋燭Ｃの所定数量に対応させるために、収納ケース１０の各寸法（縦×横×厚み）に合わせたウレタンシートの表面側から裏面側に貫通させ蝋燭Ｃの寸法に合わせた保持用孔部２１を設けたシート状保持手段２０を挿入し、その後に夫々の保持用孔部２１に夫々の蝋燭Ｃを実装した後に、蓋側１２を閉じた状態にすることで、本考案のディスク収納ケースを活用したろうそくパッケージと成る。
【実施例４】
【００２９】  また、図１と図３より、シート状保持手段２０は、例えば、素材がプラスチック系であれば、プラスチック成形により形成されたシート状プラスチックを所定の寸法にカットすることで形成され、例えば、素材が天然セルロース系（例えば、紙や布）であればシート状セルロース素材を所定の寸法にカットすることで形成される。
【実施例５】
【００３０】  また、図１と図３より、保持用孔部２１に関しては、例えば、シート状保持手段２０がシート状プラスチックであれば、蝋燭Ｃの寸法よりもわずかに小さめな窪み状または溝状または切欠き状または孔状になるよう加工することで、蝋燭Ｃを保持または固定し、保持用孔部２１からの蝋燭Ｃの脱落を防ぐ。また、保持用孔部２１が、例えば、シート状保持手段２０がシート状の紙であれば、蝋燭Ｃの寸法よりもわずかに小さめな切欠き状または孔状または線状または切込み状または折込み状になるよう加工することで、蝋燭Ｃを保持または固定し、保持用孔部２１からの蝋燭Ｃの脱落を防ぐ。【００３１】  以上の様な構成により、ディスク収納ケース１０は、シート状保持手段２０を収納でき、さらに、シート状保持手段２０は保持用孔部２１により、蝋燭Ｃの保持及び脱着が確実に行える。
【産業上の利用可能性】
【００３２】  なお、実施例１から実施例５では、蝋燭Ｃを収納する収納ケースについて説明したが、本考案の蝋燭Ｃ程度の大きさであれば、他のどの様な物品にも適用できることは言うまでもない。
【図面の簡単な説明】
【００３３】
【図１】本考案の一実施の形態例を説明する図である。
【図２】従来のディスク用収納ケースの外観を示す図である。
【図３】本考案の一実施の形態の外観を示す図である。
【符号の説明】
【００３４】Ｃ      蝋燭
１０    ディスク収納ケース
１１    本体側
１２    蓋側
１３    開閉手段
２０    シート状保持手段
２１    保持用孔部
【図１】
0003101602.tif 000003
【図２】
0003101602.tif 000004
【図３】
0003101602.tif 000005